(57)【要約】【課題】映像信号を画素に書き込む書き込み時間を確保する。【解決手段】映像信号を信号線を介して画素に供給する画像書き込みを所定のフレームレートで実行する液晶装置は、前記映像信号の極性を反転させる反転周期を、前記画像書き込みが実行されるフレームを２個以上含む長さに設定する反転周期設定部と、前記映像信号の極性が反転してから前記反転周期が経過するまでの所定期間において、最初のフレームに対して、プリチャージ信号を前記信号線に供給するプリチャージを実行し、２番目以降のフレームの少なくとも１つに対して、前記プリチャージを実行しないプリチャージ部と、を備える。【選択図】図２
2020016672.tif 000002
【特許請求の範囲】
【請求項１】
映像信号を信号線を介して画素に供給する画像書き込みを所定のフレームレートで実行する液晶装置であって、
前記映像信号の極性を反転させる反転周期を、前記画像書き込みが実行されるフレームを２個以上含む長さに設定する反転周期設定部と、
前記映像信号の極性が反転してから前記反転周期が経過するまでの所定期間において、最初のフレームに対して、プリチャージ信号を前記信号線に供給するプリチャージを実行し、２番目以降のフレームの少なくとも１つに対して、前記プリチャージを実行しないプリチャージ部と、
を備えることを特徴とする液晶装置。
【請求項２】
前記プリチャージは、前記映像信号の中心電圧より低く前記映像信号の最低電圧以上の電圧を前記プリチャージ信号として前記信号線に供給する負極性プリチャージである、
ことを特徴とする請求項１に記載の液晶装置。
【請求項３】
前記プリチャージ部は、前記所定期間に３個以上のフレームが含まれる場合、前記所定期間において、最初のフレームおよび３番目のフレームに対して前記プリチャージを実行し、２番目のフレームに対して前記プリチャージを実行しない、
ことを特徴とする請求項１または２に記載の液晶装置。
【請求項４】
前記プリチャージ部は、前記映像信号の極性が負極性から正極性に反転してから前記反転周期が経過するまでの前記所定期間である正極性期間において、最初のフレームに対して、前記負極性プリチャージの実行後に、前記映像信号の中心電圧以上で前記映像信号の最高電圧以下の電圧を前記信号線に供給する補助プリチャージを実行する、
ことを特徴とする請求項２に記載の液晶装置。
【請求項５】
前記プリチャージ部は、前記所定期間に３個以上のフレームが含まれる場合、前記所定期間において、最初のフレームおよび３番目のフレームに対して前記負極性プリチャージを実行し、２番目のフレームに対して前記プリチャージを実行せず、前記正極性期間において、最初のフレームに対して前記負極性プリチャージの実行後に前記補助プリチャージを実行し、３番目のフレームに対して前記補助プリチャージを実行しない、
ことを特徴とする請求項４に記載の液晶装置。
【請求項６】
前記映像信号が所定の更新周期で更新される場合、前記所定のフレームレートを、前記画像書き込みが実行されるフレームの数を前記所定の更新周期あたり２個以上にするフレームレートに設定するフレームレート設定部を備えている、
ことを特徴とする請求項１から５のいずれか１項に記載の液晶装置。
【請求項７】
請求項１から６のいずれか１項に記載の液晶装置を備えることを特徴とする電子機器。
【発明の詳細な説明】
【技術分野】
【０００１】
本発明は、液晶装置および電子機器に関する。
【背景技術】
【０００２】
液晶素子を用いて画像を表示する液晶装置では、表示画像の焼き付きを防止するために、液晶素子に印加する電圧の極性を一定周期毎に反転する駆動方法が知られている。また、信号線を介して画素に映像信号を供給する前にプリチャージ信号を信号線に供給して、表示画像の画質を向上させる技術が知られている。
【０００３】
例えば、特許文献１には、映像信号の極性にかかわらず、映像信号の基準電位に対して負極性を有する電圧を映像信号に先行するタイミングで供給する駆動方法が開示されている。また、特許文献２には、各水平走査期間のブランキング期間中に、映像信号の最低電圧付近の電位を有する第１のプリチャージ信号と、映像信号の振幅の中間付近の電位を有し、映像信号と同極性の第２のプリチャージ信号とを順番に供給する駆動方法が開示されている。また、特許文献３には、映像信号の極性に応じてプリチャージ信号を供給する水平走査期間とプリチャージ信号の供給を停止する水平走査期間とを含む垂直走査期間を用いて画像を表示する方法が開示されている。
【０００４】
近年、表示画像の画質を向上させるために、映像信号を供給する際のフレームレートを高くする傾向がある。
【先行技術文献】
【特許文献】
【０００５】
【特許文献１】特開２０１０−１２７９５３号公報
【特許文献２】特開２００６−２５９２２４号公報
【特許文献３】特開２００６−２５９２２４号公報
【発明の概要】
【発明が解決しようとする課題】
【０００６】
しかし、プリチャージによる画質向上と映像信号を画素に書き込む書き込み時間の確保は、トレードオフの関係にある。特に、フレームレートを高くすると、プリチャージに要する時間によって書き込み時間が短くなり、十分な書き込み時間が確保できないという課題がある。
【課題を解決するための手段】
【０００７】
上記課題を解決するために本発明の液晶装置の一態様は、映像信号を信号線を介して画素に供給する画像書き込みを所定のフレームレートで実行する液晶装置であって、前記映像信号の極性を反転させる反転周期を、前記画像書き込みが実行されるフレームを２個以上含む長さに設定する反転周期設定部と、前記映像信号の極性が反転してから前記反転周期が経過するまでの所定期間において、最初のフレームに対して、プリチャージ信号を前記信号線に供給するプリチャージを実行し、２番目以降のフレームの少なくとも１つに対して、前記プリチャージを実行しないプリチャージ部と、を備える。
【図面の簡単な説明】
【０００８】
【図１】本発明の第１実施形態に係る液晶装置の説明図である。
【図２】第１実施形態に係る液晶装置の構成を示すブロック図である。
【図３】画素の構成を示す回路図である。
【図４】第１実施形態に係る液晶装置の動作タイミングの一例を示す図である。
【図５】本発明の第２実施形態に係る液晶装置の構成を示すブロック図である。
【図６】第２実施形態に係る液晶装置の動作タイミングの一例を示す図である。
【図７】第２実施形態に係る液晶装置の動作タイミングの別の例を示す図である。
【図８】本発明の第３実施形態に係る液晶装置の構成を示すブロック図である。
【図９】第３実施形態に係る液晶装置の動作タイミングの一例を示す図である。
【図１０】電子機器の一例であるパーソナルコンピューターを示す斜視図である。
【図１１】電子機器の一例であるスマートフォンを示す正面図である。
【図１２】電子機器の一例である投射型表示装置を示す模式図である。
【発明を実施するための形態】
【０００９】
＜第１実施形態＞
本発明の第１実施形態について図１から図４を参照しつつ説明する。図１は、本発明の第１実施形態に係る液晶装置１の説明図である。なお、図１は、液晶装置１に対する信号伝送系の構成を示す。液晶装置１は、電気光学パネル１００と、ドライバーＩＣ（Integrated Circuit）等の駆動用集積回路２００と、フレキシブル回路基板３００とを有する。電気光学パネル１００は、例えば、透過型の電気光学装置であり、駆動用集積回路２００が搭載されるフレキシブル回路基板３００に接続される。また、電気光学パネル１００は、フレキシブル回路基板３００および駆動用集積回路２００を介して、図示しないホストＣＰＵ（Central Processing Unit）装置に接続される。駆動用集積回路２００は、映像データおよび駆動制御のための各種の制御信号をホストＣＰＵ装置からフレキシブル回路基板３００を介して受信し、フレキシブル回路基板３００を介して電気光学パネル１００を駆動する装置である。
【００１０】
図２は、第１実施形態に係る液晶装置１の構成を示すブロック図である。液晶装置１の電気光学パネル１００は、画素部１１０と、走査線駆動回路１２０と、ｋ個のデマルチプレクサー１３０［１］〜１３０［ｋ］とを有する。なお、ｋは自然数である。液晶装置１の駆動用集積回路２００は、制御回路２１０およびデータ線駆動回路２２０を有する。
【００１１】
画素部１１０は、ｍ本の走査線１１２とｎ本の信号線１１４との各交差に対応して配置される画素ＰＸを含む。なお、ｍおよびｎは、自然数である。画素ＰＸは、図３に示すように、印加電圧に応じて透過率が変化する液晶１１８ｃを有する。液晶１１８ｃに印加される電圧に応じて液晶１１８ｃの透過率が変化することにより、画素ＰＸの表示階調が変化する。
【００１２】
走査線駆動回路１２０は、制御回路２１０から受けるスタートパルスＳＰおよびクロック信号ＣＫ等の制御信号に基づいて走査信号Ｇ［１］〜Ｇ［ｍ］を生成し、走査信号Ｇ［１］〜Ｇ［ｍ］をｍ本の走査線１１２の各々に出力する。クロック信号ＣＫの１周期は、例えば、１行の画素ＰＸに映像信号ＶＤＴを書き込むための１水平走査期間と同じ長さである。例えば、走査線駆動回路１２０は、スタートパルスＳＰをクロック信号ＣＫにしたがってシフトさせることにより、走査信号Ｇ［１］〜Ｇ［ｍ］を生成する。すなわち、走査線駆動回路１２０は、垂直走査期間内に各走査線１１２に対する走査信号Ｇ［１］〜Ｇ［ｍ］を１水平走査期間毎に順次アクティブにする。
【００１３】
例えば、第Ｌ行に対応する走査信号Ｇ［Ｌ］は、ハイレベル等の選択電圧に維持されている期間にアクティブとなる。なお、Ｌは、１〜ｍの自然数である。走査信号Ｇ［Ｌ］がアクティブである期間、すなわち、第Ｌ行に対応する走査線１１２が選択されている期間では、第Ｌ行のｎ個の画素ＰＸの各々が有する各液晶１１８ｃは、ｎ本の信号線１１４にそれぞれ電気的に接続される。なお、走査信号Ｇ［Ｌ］がアクティブでない場合、第Ｌ行のｎ個の画素ＰＸの各々が有する各液晶１１８ｃとｎ本の信号線１１４のうちの対応する信号線１１４との間の電気的な接続状態は、非導通状態である。
【００１４】
図２に示す例では、画素部１１０内のｎ本の信号線１１４は、４本を単位としてｋ個の配線ブロックＢ［１］〜Ｂ［ｋ］に区分されている。なお、ｋは、ｎが４の倍数の場合、ｎを４で除算して得られる値である。信号線１１４は、配線ブロックＢ毎にグループ化される。
【００１５】
ｋ個のデマルチプレクサー１３０［１］〜１３０［ｋ］は、ｋ個の配線ブロックＢ［１］〜Ｂ［ｋ］にそれぞれ対応している。例えば、ｋ個のデマルチプレクサー１３０［１］〜１３０［ｋ］は、データ線駆動回路２２０からｋ本のデータ線１１６にそれぞれ供給される映像信号ＶＤＴ［１］〜ＶＤＴ［ｋ］を、それぞれ受ける。なお、本実施形態では、信号線１１４を４本単位で区分しているため、１本のデータ線１１６に４画素分の映像信号ＶＤＴがデータ線駆動回路２２０から時分割で供給される。したがって、各デマルチプレクサー１３０は、対応する配線ブロックＢに含まれる４本の信号線１１４に映像信号ＶＤＴを時分割で供給する。
【００１６】
各デマルチプレクサー１３０は、対応する配線ブロックＢに含まれる４本の信号線１１４にそれぞれ接続される４個のスイッチ１３２［１］〜１３２［４］を有する。すなわち、ｉを１〜ｋの自然数とすると、デマルチプレクサー１３０［ｉ］の４個のスイッチ１３２［１］〜１３２［４］の各々の一方の接点は、配線ブロックＢ［ｉ］に含まれる４本の信号線１１４のうちの対応する信号線１１４にそれぞれ接続される。そして、デマルチプレクサー１３０［ｉ］の４個のスイッチ１３２［１］〜１３２［４］の各々の他方の接点、すなわち、信号線１１４に接続されていない接点は、ｋ本のデータ線１１６のうちの対応するデータ線１１６に共通に接続される。ｋ本のデータ線１１６は、フレキシブル回路基板３００を介して駆動用集積回路２００のデータ線駆動回路２２０に接続される。スイッチ１３２［１］〜１３２［４］は、例えば、ＴＦＴ（thin film transistor）等で構成されるＮチャネル型のトランジスターであり、ゲート等の制御端子で受ける選択信号ＳＥＬ１〜ＳＥＬ４のレベルに応じて、導通状態と非導通状態とのいずれかに設定される。なお、スイッチ１３２［１］〜１３２［４］は、Ｐチャネル型のトランジスターでもよいし、ＴＦＴ以外のスイッチング素子でもよい。
【００１７】
各デマルチプレクサー１３０の４個のスイッチ１３２［１］〜１３２［４］の状態を切り替える選択信号ＳＥＬ１〜ＳＥＬ４は、フレキシブル回路基板３００を介して駆動用集積回路２００の制御回路２１０から供給される。選択信号ＳＥＬ１〜ＳＥＬ４は、信号線１１４にプリチャージ信号ＰＲＣを出力する開始タイミング、または、信号線１１４に映像信号ＶＤＴを出力する開始タイミングを指定する。ここで、例えば、１個の選択信号ＳＥＬ１がアクティブレベル、他の３個の選択信号ＳＥＬ２〜ＳＥＬ４が非アクティブレベルである場合には、ｋ個のデマルチプレクサー１３０［１］〜１３０［ｋ］の各々に含まれるｋ個のスイッチ１３２［１］のみが導通状態となる。したがって、ｋ個のデマルチプレクサー１３０［１］〜１３０［ｋ］の各々は、ｋ本のデータ線１１６上の映像信号ＶＤＴ［１］〜ＶＤＴ［ｋ］を各配線ブロックＢ［１］〜Ｂ［ｋ］の１番目の信号線１１４にそれぞれ出力する。以下、同様にして、ｋ本のデータ線１１６上の映像信号ＶＤＴ［１］〜ＶＤＴ［ｋ］を各配線ブロックＢ［１］〜Ｂ［ｋ］の２番目、３番目および４番目の信号線１１４にそれぞれ出力する。
【００１８】
制御回路２１０は、走査線駆動回路１２０およびデータ線駆動回路２２０を同期制御して、画素部１１０の表示制御を実行する。例えば、制御回路２１０は、スタートパルスＳＰおよびクロック信号ＣＫ等の制御信号を走査線駆動回路１２０に出力し、選択信号ＳＥＬ等の制御信号をデータ線駆動回路２２０に出力して、走査線駆動回路１２０およびデータ線駆動回路２２０を同期制御する。
【００１９】
また、制御回路２１０は、図示しない外部のホストＣＰＵ装置から入力される映像データＶＤをデータ線駆動回路２２０に転送する。例えば、制御回路２１０は、画素部１１０の解像度に相当するｍ×ｎビットのメモリー空間を含む図示しないフレームメモリーを有し、外部のホストＣＰＵ装置から入力される映像データＶＤをフレーム単位で保持する。なお、制御回路２１０は、少なくとも１ライン分のラインメモリーをフレームメモリーの代わりに有してもよい。この場合、制御回路２１０は、ラインメモリーに１ライン分の映像データＶＤを順次保持し、１ライン分の映像データＶＤをデータ線駆動回路２２０に順次転送する。
【００２０】
なお、液晶装置１では、液晶１１８ｃ等の電気光学材料の電気的な劣化を防止するため、液晶１１８ｃに印加する電圧の極性を一定周期毎に反転する極性反転駆動が採用される。本明細書においては、映像信号ＶＤＴの電圧が中心電圧等の所定電圧に対して高電圧となる場合を正極性とし、映像信号ＶＤＴの電圧が所定電圧に対して低電圧となる場合を負極性とする。
【００２１】
例えば、制御回路２１０は、映像信号ＶＤＴの極性を反転させる周期を設定する反転周期設定部２１２と、プリチャージ信号ＰＲＣを信号線１１４に供給するプリチャージを映像信号ＶＤＴの極性反転に合わせてデータ線駆動回路２２０に実行させるプリチャージ制御部２１４とを有する。反転周期設定部２１２およびプリチャージ制御部２１４の動作の詳細は、図４で説明する。制御回路２１０は、例えば、映像信号ＶＤＴの極性を示す極性信号ＰＯＬをデータ線駆動回路２２０に出力する。
【００２２】
データ線駆動回路２２０は、制御回路２１０から供給される映像データＶＤで規定される階調に基づいて、映像信号ＶＤＴを生成する。なお、映像信号ＶＤＴの極性は、極性信号ＰＯＬで示される極性に設定される。すなわち、データ線駆動回路２２０は、制御回路２１０により設定される周期で、映像信号ＶＤＴの電圧を映像信号ＶＤＴの電圧の中心電圧に対して反転する。そして、データ線駆動回路２２０は、映像信号ＶＤＴの書き込みの対象となる画素行毎に、映像信号ＶＤＴを、デマルチプレクサー１３０を介して信号線１１４に出力する。
【００２３】
例えば、データ線駆動回路２２０は、各デマルチプレクサー１３０に接続される４本の信号線１１４にそれぞれ供給する４画素分の映像信号ＶＤＴを含む信号を各デマルチプレクサー１３０に出力する。あるいは、データ線駆動回路２２０は、プリチャージ信号ＰＲＣおよび４画素分の映像信号ＶＤＴを含む信号を、各デマルチプレクサー１３０に出力する。プリチャージ信号ＰＲＣを信号線１１４に供給するか否かは、プリチャージ制御部２１４により設定される。次に、図３を参照して、画素ＰＸの構成を説明する。
【００２４】
図３は、画素ＰＸの構成を示す回路図である。各画素ＰＸは、液晶素子１１８、保持容量Ｃｓｔおよび画素トランジスターＴＲｈを有する。液晶素子１１８は、互いに対向する画素電極１１８ａおよびコモン電極１１８ｂと、画素電極１１８ａおよびコモン電極１１８ｂ間に配置される液晶１１８ｃとを含む電気光学素子である。画素電極１１８ａとコモン電極１１８ｂとの間の印加電圧に応じて液晶１１８ｃの透過率が変化することにより、表示階調が変化する。なお、コモン電極１１８ｂには、図示しないコモン線を介して、一定の電圧であるコモン電圧Ｖｃｏｍが供給される。
【００２５】
保持容量Ｃｓｔは、液晶素子１１８と並列に設けられている。保持容量Ｃｓｔの一方の端子は、画素トランジスターＴＲｈに接続され、他方の端子は、図示しない容量線を介してコモン電極１１８ｂに接続される。
【００２６】
画素トランジスターＴＲｈは、例えば、ＴＦＴ等で構成されるＮチャネル型のトランジスターであり、液晶素子１１８と信号線１１４との間に設けられる。そして、画素トランジスターＴＲｈは、ゲートに接続される走査線１１２に供給される走査信号Ｇのレベルに応じて、導通状態と非導通状態とのいずれかに設定される。すなわち、画素トランジスターＴＲｈは、液晶素子１１８と信号線１１４との間の電気的な接続を制御する。例えば、走査信号Ｇ［Ｌ］が選択電圧に設定されることで、Ｌ行目の各画素ＰＸにおける画素トランジスターＴＲｈが同時またはほぼ同時に導通状態に遷移する。
【００２７】
画素トランジスターＴＲｈが導通状態に制御されると、液晶素子１１８には、信号線１１４から供給される映像信号ＶＤＴが印加される。液晶１１８ｃは、映像信号ＶＤＴが印加されることにより、映像信号ＶＤＴに基づく透過率に設定される。また、図示しない光源が点灯状態になると、光源から出射される光は、画素ＰＸが有する液晶素子１１８の液晶１１８ｃを透過して、電気光学装置１の外部に出力される。すなわち、液晶素子１１８に映像信号ＶＤＴが印加され、かつ、光源が点灯状態となることで、画素ＰＸは、映像信号ＶＤＴに基づく階調を表示する。
【００２８】
また、液晶素子１１８と並列に設けられる保持容量Ｃｓｔは、液晶素子１１８に印加される電圧に充電される。すなわち、各画素ＰＸは、映像信号ＶＤＴに対応する電位を保持容量Ｃｓｔに保持する。次に、図４を参照して、液晶装置１の動作を説明する。
【００２９】
図４は、第１実施形態に係る液晶装置１の動作タイミングの一例を示す図である。図４に示す例では、映像データＶＤの内容は、更新周期ＴＵＰＤで更新される。したがって、各画素ＰＸに供給される映像信号ＶＤＴも更新周期ＴＵＰＤで更新される。また、図４に示す例では、フレーム期間ＴＦｐｗおよびＴＦｗの平均は、映像データＶＤの更新周期ＴＵＰＤの２分の１に設定される。すなわち、データ線駆動回路２２０は、映像信号ＶＤＴを信号線１１４を介して画素ＰＸに供給する画像書き込みを、映像データＶＤの更新周波数の２倍のフレームレートで実行する。以下、フレーム期間ＴＦｐｗおよびＴＦｗは、フレーム期間ＴＦｐｗおよびＴＦｗを区別しない場合等では、フレーム期間ＴＦとも称される。通常、１つの表示画面を表示する映像データＶＤはフレーム単位で処理され、１フレームＦに割り当てられる処理期間が１フレーム期間ＴＦである。フレーム期間ＴＦは、１フレームＦの表示が１回の垂直走査で実行される場合、垂直走査期間に相当する。
【００３０】
また、図４に示す例では、映像信号ＶＤＴの極性は、フレームレートの２分の１の周波数で反転する。すなわち、反転周期設定部２１２は、映像信号ＶＤＴの極性を反転させる周期である反転周期ＴＲＰを、画像書き込みが実行されるフレームＦを２個含む長さに設定する。なお、反転周期設定部２１２は、反転周期ＴＲＰを、画像書き込みが実行されるフレームＦを３個以上含む長さに設定してもよい。
【００３１】
また、図４の星印は、プリチャージが実行されることを示す。例えば、プリチャージは、映像信号ＶＤＴの中心電圧より低く映像信号ＶＤＴの最低電圧以上の電圧をプリチャージ信号ＰＲＣとして信号線１１４に供給する負極性プリチャージである。図４の一点鎖線は、映像信号ＶＤＴの中心電圧を示す。図４に示す例では、映像信号ＶＤＴの極性が反転してから最初に画像書き込みが実行されるフレームＦであるｊ番目およびｊ＋２番目のフレームＦに対して、プリチャージが実行される。なお、ｊは自然数である。
【００３２】
すなわち、プリチャージ制御部２１４は、映像信号ＶＤＴの極性が反転してから反転周期ＴＲＰが経過するまでの所定期間における最初のフレームＦをプリチャージの対象に設定し、所定期間における２番目のフレームＦをプリチャージの対象から除外する。図４に示す例では、極性信号ＰＯＬがハイレベルに維持されている期間および極性信号ＰＯＬがローレベルに維持されている期間の各々が所定期間である。プリチャージ制御部２１４は、プリチャージの対象となるフレームＦをデータ線駆動回路２２０に通知する。
【００３３】
この結果、データ線駆動回路２２０は、映像信号ＶＤＴの極性が反転してから反転周期ＴＲＰが経過するまでの所定期間において、最初のフレームＦに対して、プリチャージ信号ＰＲＣを信号線１１４に供給するプリチャージを実行し、２番目のフレームＦに対してプリチャージを実行しない。なお、反転周期ＴＲＰがフレームＦを３個以上含む長さに設定される場合、プリチャージ制御部２１４は、所定期間における２番目以降のフレームの少なくとも１つをプリチャージの対象から除外する。すなわち、反転周期ＴＲＰがフレームＦを３個以上含む長さに設定される場合、データ線駆動回路２２０は、所定期間において、２番目以降のフレームＦの少なくとも１つに対してプリチャージを実行しない。
【００３４】
なお、データ線駆動回路２２０は、プリチャージ部の一例である。図４に示すｊ番目およびｊ＋２番目のフレームＦは、所定期間における最初のフレームＦの一例であり、ｊ＋１番目およびｊ＋３番目のフレームＦは、所定期間における２番目のフレームＦの一例である。次に、プリチャージが実行されるｊ番目のフレームＦにおけるプリチャージ信号ＰＲＣおよび映像信号ＶＤＴの供給タイミングと、プリチャージが実行されないｊ＋１番目のフレームＦにおける映像信号ＶＤＴの供給タイミングとを説明する。図４では、図を見やすくするために、ｋ個の映像信号ＶＤＴ［１］〜ＶＤＴ［ｋ］のうちの映像信号ＶＤＴ［ｉ］のみを図示している。なお、ｉは、１〜ｋの自然数である。
【００３５】
プリチャージの対象となるｊ番目のフレームＦでは、映像信号ＶＤＴを信号線１１４を介して画素ＰＸに供給するための書き込み期間ＴＷの前に、プリチャージ期間ＴＰが割り当てられる。例えば、ｊ番目のフレームＦでは、データ線駆動回路２２０は、水平走査期間Ｈ１〜Ｈｍの各々のプリチャージ期間ＴＰに、映像信号ＶＤＴの中心電圧より低く映像信号ＶＤＴの最低電圧以上の電圧をプリチャージ信号ＰＲＣとして各デマルチプレクサー１３０に出力する。プリチャージ期間ＴＰでは、各デマルチプレクサー１３０のスイッチ１３２［１］〜１３２［４］は、制御回路２１０から出力される選択信号ＳＥＬ１〜ＳＥＬ４により導通状態に設定される。したがって、ｊ番目のフレームＦでは、水平走査期間Ｈ１〜Ｈｍの各々のプリチャージ期間ＴＰに、プリチャージ信号ＰＲＣが全ての信号線１１４に供給される。この結果、映像信号ＶＤＴの書き込みの対象となる画素行毎に、プリチャージ信号ＰＲＣが信号線１１４を介して画素ＰＸに供給される。
【００３６】
また、ｊ番目のフレームＦでは、データ線駆動回路２２０は、水平走査期間Ｈ１〜Ｈｍの各々の書き込み期間ＴＷに、正極性の映像信号ＶＤＴを、信号線１１４を介して画素ＰＸに供給する。例えば、データ線駆動回路２２０は、書き込み期間ＴＷに、各デマルチプレクサー１３０に接続される４本の信号線１１４にそれぞれ供給する４画素分の映像信号ＶＤＴを含む信号を各デマルチプレクサー１３０に出力する。
【００３７】
書き込み期間ＴＷでは、各デマルチプレクサー１３０のスイッチ１３２［１］〜１３２［４］は、制御回路２１０から出力される選択信号ＳＥＬ１〜ＳＥＬ４によって順番に導通状態に設定される。このため、書き込み期間ＴＷでは、各デマルチプレクサー１３０に供給される４画素分の映像信号ＶＤＴが、スイッチ１３２［１］〜１３２［４］により時系列的に信号線１１４に出力される。
【００３８】
例えば、デマルチプレクサー１３０［ｉ］に出力される映像信号ＶＤＴ［ｉ］は、デマルチプレクサー１３０［ｉ］に接続される４本の信号線１１４にそれぞれ供給する４画素分の映像信号ＶＤＴが時分割多重されている。したがって、デマルチプレクサー１３０［ｉ］は、制御回路２１０から出力される選択信号ＳＥＬ１〜ＳＥＬ４に応じて、映像信号ＶＤＴ［ｉ］を時分割分離して、４画素分の映像信号ＶＤＴを時系列的に信号線１１４に出力する。
【００３９】
プリチャージが実行されないｊ＋１番目のフレームＦでは、プリチャージ期間ＴＰは割り当てられない。したがって、ｊ＋１番目のフレームＦでは、データ線駆動回路２２０は、水平走査期間Ｈ１〜Ｈｍの各々の書き込み期間ＴＷに、正極性の映像信号ＶＤＴを、信号線１１４を介して画素ＰＸに供給する。ｊ＋１番目のフレームＦにおける液晶装置１の動作は、プリチャージが実行されない点を除いて、ｊ番目のフレームＦと同様であるため、詳細な説明を省略する。また、ｊ＋２番目およびｊ＋３番目のフレームＦにおける液晶装置１の動作は、映像信号ＶＤＴの極性が負極性である点を除いて、それぞれｊ番目およびｊ＋１番目のフレームＦと同様である。すなわち、プリチャージの対象となるフレームＦでは、映像信号ＶＤＴの極性にかかわらず、負極性プリチャージが実行される。
【００４０】
ｊ＋１番目のフレームＦのフレーム期間ＴＦｗは、プリチャージが実行されないため、ｊ番目のフレームＦのフレーム期間ＴＦｐｗより短い。なお、書き込み期間ＴＷは、ｊ番目のフレームＦとｊ＋１番目のフレームＦとで同じ長さである。このため、液晶装置１では、全てのフレームＦでプリチャージが実行される場合に比べて、書き込み期間ＴＷを長くできる。
【００４１】
例えば、全てのフレームＦでプリチャージが実行される場合、ｊ＋１番目のフレームＦにおいても、水平走査期間Ｈ１〜Ｈｍの各々でプリチャージ期間ＴＰを確保する必要がある。このため、全てのフレームＦでプリチャージが実行される場合の書き込み期間は、書き込み期間ＴＷに比べて短くなる。この結果、全てのフレームＦでプリチャージが実行される場合、フレームレートを高くすると、映像信号ＶＤＴを画素ＰＸに書き込む書き込み時間の確保が困難になる。
【００４２】
これに対し、液晶装置１は、映像信号ＶＤＴの極性反転に合わせてプリチャージを実行するため、全てのフレームＦでプリチャージが実行される場合に比べて、書き込み期間ＴＷを長くできる。このため、液晶装置１は、フレームレートを高くしても、書き込み時間を確保できる。
【００４３】
また、発明者は、映像信号ＶＤＴの極性反転直後のフレームＦで映像信号ＶＤＴの極性にかかわらず負極性プリチャージを実行することにより、映像信号ＶＤＴの極性反転直後のフレームＦで負極性プリチャージを実行しない場合に比べて、表示画像の画質が向上することを、実験等で確認している。例えば、負極性プリチャージを実行することにより、画素トランジスターＴＲｈのリーク等が抑制され、画素むら、縦クロストークおよび画面内の上下の輝度むら等が低減される。この結果、表示画像の画質が向上する。
【００４４】
したがって、映像信号ＶＤＴの極性反転に合わせて負極性プリチャージを実行する液晶装置１は、映像信号ＶＤＴの極性反転直後のフレームＦで負極性プリチャージが間引かれる場合に比べて、プリチャージによる画質向上の効果を存分に得られる。すなわち、液晶装置１は、表示画像の画質を向上させるためにフレームレートを高くする場合においても、プリチャージの効果を得つつ、書き込み時間を確保できる。
【００４５】
以上、第１実施形態では、反転周期設定部２１２は、映像信号ＶＤＴの極性を反転させる反転周期ＴＲＰを、画像書き込みが実行されるフレームＦを２個以上含む長さに設定する。また、プリチャージ部として機能するデータ線駆動回路２２０は、映像信号ＶＤＴの極性が反転してから反転周期ＴＲＰが経過するまでの所定期間において、最初のフレームＦに対して、プリチャージ信号ＰＲＣを信号線１１４に供給するプリチャージを実行し、２番目以降のフレームＦの少なくとも１つに対して、プリチャージを実行しない。
【００４６】
液晶装置１では、映像信号ＶＤＴの極性反転に合わせて実行するプリチャージにより、表示画像の画質を向上させることができる。また、液晶装置１では、映像信号ＶＤＴの極性が前のフレームＦと同じフレームＦの少なくとも１つに対してプリチャージが実行されないため、全てのフレームＦでプリチャージが実行される場合に比べて書き込み期間ＴＷを長くできる。この結果、表示画像の画質を向上させるためにフレームレートを高くする場合においても、書き込み時間を確保できる。すなわち、液晶装置１は、フレームレートを高くしても、プリチャージの効果を得つつ、書き込み時間を確保できる。
【００４７】
＜第２実施形態＞
図５は、本発明の第２実施形態に係る液晶装置１Ａの構成を示すブロック図である。第２実施形態の液晶装置１Ａは、フレームレート設定部２１６が追加されることを除いて、第１実施形態の液晶装置１と同一である。図１から図４で説明済みの要素と同一の要素については、同一の符号を付し、詳細な説明を省略する。液晶装置１Ａは、図１の駆動用集積回路２００の代わりに駆動用集積回路２００Ａを有することを除いて、図１の液晶装置１と同一である。例えば、液晶装置１Ａは、電気光学パネル１００と、駆動用集積回路２００Ａと、図１のフレキシブル回路基板３００とを有する。
【００４８】
電気光学パネル１００は、図２の電気光学パネル１００と同一である。すなわち、電気光学パネル１００は、画素部１１０と、走査線駆動回路１２０と、ｋ個のデマルチプレクサー１３０［１］〜１３０［ｋ］とを有する。駆動用集積回路２００Ａは、図２の制御回路２１０の代わりに制御回路２１０Ａを有することを除いて、図２の駆動用集積回路２００と同一である。すなわち、駆動用集積回路２００Ａは、制御回路２１０Ａおよびデータ線駆動回路２２０を有する。データ線駆動回路２２０は、図２のデータ線駆動回路２２０と同一である。
【００４９】
制御回路２１０Ａは、フレームレート設定部２１６が図２の制御回路２１０に追加されることを除いて、図２の制御回路２１０と同一である。すなわち、制御回路２１０Ａは、反転周期設定部２１２、プリチャージ制御部２１４およびフレームレート設定部２１６を有する。反転周期設定部２１２およびプリチャージ制御部２１４は、図２の反転周期設定部２１２およびプリチャージ制御部２１４と同一である。
【００５０】
フレームレート設定部２１６は、映像信号ＶＤＴを信号線１１４を介して画素ＰＸに供給する画像書き込みを実行する際のフレームレートを、映像信号ＶＤＴの更新周期ＴＵＰＤあたり画像書き込みが実行されるフレームＦの数を２個以上にするフレームレートに設定する。図６に示す例では、フレームレート設定部２１６は、画像書き込みを実行する際のフレームレートを、画像書き込みが実行されるフレームＦの数を更新周期ＴＵＰＤあたり４個にするフレームレートに設定する。
【００５１】
図６は、第２実施形態に係る液晶装置１Ａの動作タイミングの一例を示す図である。図６に示す例では、フレーム期間ＴＦｐｗおよびＴＦｗの平均は、映像データＶＤの更新周期ＴＵＰＤの４分の１に設定される。すなわち、フレームレート設定部２１６は、画像書き込みを実行する際のフレームレートを、映像データＶＤの更新周波数の４倍に設定する。したがって、データ線駆動回路２２０は、フレームＦに対する画像書き込みを、映像データＶＤの更新周波数の４倍のフレームレートで実行する。
【００５２】
また、図６に示す例では、映像信号ＶＤＴの極性は、フレームレートの２分の１の周波数で反転する。すなわち、反転周期設定部２１２は、映像信号ＶＤＴの極性を反転させる反転周期ＴＲＰを、画像書き込みが実行されるフレームＦを２個含む長さに設定する。
【００５３】
また、図６の星印および一点鎖線の意味は、図４の星印および一点鎖線と同じである。図６に示す例では、映像信号ＶＤＴの極性が反転してから最初に画像書き込みが実行されるフレームＦであるｊ番目、ｊ＋２番目、ｊ＋４番目、ｊ＋６番目およびｊ＋８番目のフレームＦに対して、負極性プリチャージが実行される。図６に示すｊ番目、ｊ＋２番目、ｊ＋４番目およびｊ＋６番目のフレームＦは、映像信号ＶＤＴの極性が反転してから反転周期ＴＲＰが経過するまでの所定期間における最初のフレームＦの一例である。また、図６に示すｊ＋１番目、ｊ＋３番目、ｊ＋５番目およびｊ＋７番目のフレームＦは、所定期間における２番目のフレームＦの一例である。
【００５４】
ｊ番目、ｊ＋４番目およびｊ＋８番目のフレームＦにおける液晶装置１Ａの動作は、図４のｊ番目のフレームＦにおける液晶装置１の動作と同様である。また、ｊ＋２番目およびｊ＋６番目のフレームＦにおける液晶装置１Ａの動作は、映像信号ＶＤＴの極性が負極性である点を除いて、図４のｊ番目のフレームＦにおける液晶装置１の動作と同様である。
【００５５】
ｊ＋１番目およびｊ＋５番目のフレームＦにおける液晶装置１Ａの動作は、図４のｊ＋１番目のフレームＦにおける液晶装置１の動作と同様である。また、ｊ＋３番目およびｊ＋７番目のフレームＦにおける液晶装置１Ａの動作は、映像信号ＶＤＴの極性が負極性である点を除いて、図４のｊ＋１番目のフレームＦにおける液晶装置１の動作と同様である。
【００５６】
すなわち、データ線駆動回路２２０は、映像信号ＶＤＴの極性が反転してから反転周期ＴＲＰが経過するまでの所定期間において、最初のフレームＦに対して、プリチャージ信号ＰＲＣを信号線１１４に供給するプリチャージを実行し、２番目のフレームＦに対してプリチャージを実行しない。
【００５７】
図７は、第２実施形態に係る液晶装置１Ａの動作タイミングの別の例を示す図である。図７に示す例は、映像信号ＶＤＴの極性を反転させる反転周期ＴＲＰが、図６の動作タイミングと相違する。例えば、図７の動作タイミングでは、映像信号ＶＤＴの極性は、フレームレートの４分の１の周波数で反転する。すなわち、図７に示す例では、反転周期設定部２１２は、映像信号ＶＤＴの極性を反転させる反転周期ＴＲＰを、画像書き込みが実行されるフレームＦを４個含む長さに設定する。なお、画像書き込みを実行する際のフレームレートは、図６の動作タイミングと同様に、映像データＶＤの更新周波数の４倍に設定される。
【００５８】
また、図７の星印および一点鎖線の意味は、図６の星印および一点鎖線と同じである。図７に示す例では、映像信号ＶＤＴの極性が反転してから最初に画像書き込みが実行されるフレームＦと、映像信号ＶＤＴの極性が反転してから３番目に画像書き込みが実行されるフレームＦとに対して、負極性プリチャージが実行される。
【００５９】
例えば、映像信号ＶＤＴの極性が反転してから最初に画像書き込みが実行されるフレームＦは、ｊ番目、ｊ＋４番目およびｊ＋８番目のフレームＦであり、映像信号ＶＤＴの極性が反転してから３番目に画像書き込みが実行されるフレームＦは、ｊ＋２番目およびｊ＋６番目のフレームＦである。なお、映像信号ＶＤＴの極性が反転してから２番目に画像書き込みが実行されるフレームＦは、ｊ＋１番目およびｊ＋５番目のフレームＦであり、映像信号ＶＤＴの極性が反転してから４番目に画像書き込みが実行されるフレームＦは、ｊ＋３番目およびｊ＋７番目のフレームＦである。
【００６０】
図７に示すｊ番目、ｊ＋４番目およびｊ＋８番目のフレームＦは、映像信号ＶＤＴの極性が反転してから反転周期ＴＲＰが経過するまでの所定期間における最初のフレームＦの一例である。また、図７に示すｊ＋１番目、ｊ＋２番目、ｊ＋３番目、ｊ＋５番目、ｊ＋６番目およびｊ＋７番目のフレームＦは、所定期間における２番目以降のフレームＦの一例である。
【００６１】
ｊ番目、ｊ＋２番目およびｊ＋８番目のフレームＦにおける液晶装置１Ａの動作は、図６のｊ番目のフレームＦと同様である。ｊ＋４番目およびｊ＋６番目のフレームＦにおける液晶装置１Ａの動作は、図６のｊ＋２番目のフレームＦと同様である。また、ｊ＋１番目およびｊ＋３番目のフレームＦにおける液晶装置１Ａの動作は、図６のｊ＋１番目のフレームＦと同様である。ｊ＋５番目およびｊ＋７番目のフレームＦにおける液晶装置１Ａの動作は、図６のｊ＋３番目のフレームＦと同様である。
【００６２】
すなわち、プリチャージ制御部２１４は、映像信号ＶＤＴの極性が反転してから反転周期ＴＲＰが経過するまでの所定期間における最初のフレームＦおよび３番目のフレームＦをプリチャージの対象に設定する。そして、プリチャージ制御部２１４は、所定期間における２番目および４番目のフレームＦをプリチャージの対象から除外する。プリチャージ制御部２１４は、プリチャージの対象となるフレームＦをデータ線駆動回路２２０に通知する。
【００６３】
この結果、データ線駆動回路２２０は、映像信号ＶＤＴの極性が反転してから反転周期ＴＲＰが経過するまでの所定期間において、最初のフレームＦおよび３番目のフレームＦに対して、プリチャージ信号ＰＲＣを信号線１１４に供給するプリチャージを実行する。そして、データ線駆動回路２２０は、所定期間において、２番目および４番目のフレームＦに対してプリチャージを実行しない。すなわち、データ線駆動回路２２０は、所定期間において、２番目以降のフレームＦの少なくとも１つに対してプリチャージを実行しない。
【００６４】
以上、第２実施形態においても、第１実施形態と同様の効果を得ることができる。例えば、データ線駆動回路２２０は、３個以上のフレームＦを含む所定期間では、最初のフレームＦおよび３番目のフレームＦに対して負極性プリチャージを実行し、２番目のフレームＦに対してプリチャージを実行しない。このように、液晶装置１Ａは、所定期間における２番目以降のフレームの少なくとも１つに対してプリチャージを実行しないため、表示画像の画質を向上させるためにフレームレートを高くする場合においても、プリチャージの効果を得つつ、書き込み時間を確保できる。
【００６５】
また、液晶装置１Ａは、画像書き込みを実行する際のフレームレートを、画像書き込みが実行されるフレームＦの数を映像信号ＶＤＴの更新周期ＴＵＰＤあたり２個以上にするフレームレートに設定するフレームレート設定部２１６を有する。したがって、液晶装置１Ａでは、画像書き込みを実行する際のフレームレートを映像信号ＶＤＴの更新周波数の２倍以上にすることにより、フレームレートが映像信号ＶＤＴの更新周波数と同じ場合に比べて、画素ＰＸからリークする更新周期ＴＵＰＤあたりの電荷量を低減することができる。
【００６６】
＜第３実施形態＞
図８は、本発明の第３実施形態に係る液晶装置１Ｂの構成を示すブロック図である。第３実施形態の液晶装置１Ｂは、正極性期間における最初のフレームに対して補助プリチャージを実行することを除いて、第２実施形態の液晶装置１Ａと同一である。正極性期間は、映像信号ＶＤＴの極性が負極性から正極性に反転してから反転周期ＴＲＰが経過するまでの所定期間である。補助プリチャージは、負極性プリチャージの実行後に、映像信号ＶＤＴの中心電圧以上で映像信号ＶＤＴの最高電圧以下の電圧をプリチャージ信号ＰＲＣとして信号線１１４に供給するプリチャージである。
【００６７】
図１から図７で説明済みの要素と同一の要素については、同一の符号を付し、詳細な説明を省略する。液晶装置１Ｂは、図５の駆動用集積回路２００Ａの代わりに駆動用集積回路２００Ｂを有することを除いて、図５の液晶装置１Ａと同一である。例えば、液晶装置１Ｂは、電気光学パネル１００と、駆動用集積回路２００Ｂと、図１のフレキシブル回路基板３００とを有する。
【００６８】
電気光学パネル１００は、図５の電気光学パネル１００と同一である。すなわち、電気光学パネル１００は、画素部１１０と、走査線駆動回路１２０と、ｋ個のデマルチプレクサー１３０［１］〜１３０［ｋ］とを有する。駆動用集積回路２００Ｂは、図５の制御回路２１０Ａおよびデータ線駆動回路２２０のそれぞれの代わりに制御回路２１０Ｂおよびデータ線駆動回路２２０Ｂをそれぞれ有することを除いて、図５の駆動用集積回路２００Ａと同一である。すなわち、駆動用集積回路２００Ｂは、制御回路２１０Ｂおよびデータ線駆動回路２２０Ｂを有する。
【００６９】
制御回路２１０Ｂは、図５のプリチャージ制御部２１４のわりにプリチャージ制御部２１４Ｂを有することを除いて、図５の制御回路２１０Ａと同一である。すなわち、制御回路２１０Ｂは、反転周期設定部２１２、プリチャージ制御部２１４Ｂおよびフレームレート設定部２１６を有する。反転周期設定部２１２およびフレームレート設定部２１６は、図５の反転周期設定部２１２およびフレームレート設定部２１６と同一である。
【００７０】
プリチャージ制御部２１４Ｂは、正極性期間における最初のフレームＦを補助プリチャージの対象に設定することを除いて、図５のプリチャージ制御部２１４と同一である。例えば、プリチャージ制御部２１４は、負極性プリチャージの対象となるフレームＦおよび補助プリチャージの対象となるフレームＦをデータ線駆動回路２２０Ｂに通知する。
【００７１】
データ線駆動回路２２０Ｂは、制御回路２１０Ｂからの制御に基づいて、負極性プリチャージの実行後に補助プリチャージを実行することを除いて、図５のデータ線駆動回路２２０と同一である。例えば、データ線駆動回路２２０Ｂは、映像信号ＶＤＴの極性が負極性から正極性に反転してから反転周期ＴＲＰが経過するまでの所定期間である正極性期間において、最初のフレームＦに対して、負極性プリチャージの実行後に、映像信号ＶＤＴの中心電圧以上で映像信号ＶＤＴの最高電圧以下の電圧をプリチャージ信号ＰＲＣとして信号線１１４に供給する補助プリチャージを実行する。なお、データ線駆動回路２２０Ｂは、プリチャージ部の一例である。
【００７２】
図９は、第３実施形態に係る液晶装置１Ｂの動作タイミングの一例を示す図である。図９では、フレーム期間ＴＦｐｐｗ、ＴＦｐｗおよびＴＦｗは、フレーム期間ＴＦｐｐｗ、ＴＦｐｗおよびＴＦｗを区別しない場合等では、フレーム期間ＴＦとも称される。図９に示す例では、フレームレート設定部２１６は、画像書き込みを実行する際のフレームレートを、画像書き込みが実行されるフレームＦの数を更新周期ＴＵＰＤあたり８個にするフレームレートに設定する。例えば、更新周期ＴＵＰＤあたりの８個のフレームＦのフレーム期間ＴＦの平均は、映像データＶＤの更新周期ＴＵＰＤの８分の１に設定される。すなわち、フレームレート設定部２１６は、画像書き込みを実行する際のフレームレートを、映像データＶＤの更新周波数の８倍に設定する。したがって、データ線駆動回路２２０Ｂは、フレームＦに対する画像書き込みを、映像データＶＤの更新周波数の８倍のフレームレートで実行する。
【００７３】
また、図９に示す例では、映像信号ＶＤＴの極性は、フレームレートの４分の１の周波数で反転する。すなわち、反転周期設定部２１２は、映像信号ＶＤＴの極性を反転させる反転周期ＴＲＰを、画像書き込みが実行されるフレームＦを４個含む長さに設定する。図９の黒色の星印は、補助プリチャージが実行されることを示す。なお、図９の白色の星印および一点鎖線の意味は、図７の星印および一点鎖線と同じである。
【００７４】
プリチャージ制御部２１４Ｂは、映像信号ＶＤＴの極性が反転してから反転周期ＴＲＰが経過するまでの所定期間における最初のフレームＦおよび３番目のフレームＦを負極性プリチャージの対象に設定する。さらに、プリチャージ制御部２１４Ｂは、映像信号ＶＤＴの極性が負極性から正極性に反転してから反転周期ＴＲＰが経過するまでの所定期間である正極性期間における最初のフレームＦを補助プリチャージの対象に設定する。すなわち、映像信号ＶＤＴの極性が負極性から正極性に反転してから最初に画像書き込みが実行されるフレームＦであるｊ番目、ｊ＋８番目およびｊ＋１６番目のフレームＦは、負極性プリチャージおよび補助プリチャージの対象に設定される。図９に示す例では、映像信号ＶＤＴの極性が負極性から正極性に反転してから反転周期ＴＲＰが経過するまでの所定期間である正極性期間は、極性信号ＰＯＬがハイレベルに維持されている期間である。なお、極性信号ＰＯＬがローレベルに維持されている期間も、所定期間である。
【００７５】
プリチャージ制御部２１４Ｂは、所定期間における２番目および４番目のフレームＦをプリチャージの対象から除外する。そして、プリチャージ制御部２１４Ｂは、負極性プリチャージの対象となるフレームＦおよび補助プリチャージの対象となるフレームＦをデータ線駆動回路２２０Ｂに通知する。
【００７６】
この結果、データ線駆動回路２２０Ｂは、映像信号ＶＤＴの極性が反転してから反転周期ＴＲＰが経過するまでの所定期間において、最初のフレームＦおよび３番目のフレームＦに対して、負極性プリチャージを実行し、２番目および４番目のフレームＦに対してプリチャージを実行しない。さらに、データ線駆動回路２２０Ｂは、正極性期間において、最初のフレームＦに対して負極性プリチャージの実行後に補助プリチャージを実行し、３番目のフレームＦに対して補助プリチャージを実行しない。次に、負極性プリチャージおよび補助プリチャージが実行されるｊ番目のフレームＦにおけるプリチャージ信号ＰＲＣおよび映像信号ＶＤＴの供給タイミングを説明する。
【００７７】
ｊ番目のフレームＦでは、データ線駆動回路２２０Ｂは、水平走査期間Ｈ１〜Ｈｍの各々のプリチャージ期間ＴＰに、映像信号ＶＤＴの中心電圧より低く映像信号ＶＤＴの最低電圧以上の第１電圧をプリチャージ信号ＰＲＣとして各デマルチプレクサー１３０に出力する。プリチャージ期間ＴＰでは、各デマルチプレクサー１３０のスイッチ１３２［１］〜１３２［４］は、制御回路２１０から出力される選択信号ＳＥＬ１〜ＳＥＬ４により導通状態に設定される。したがって、ｊ番目のフレームＦでは、水平走査期間Ｈ１〜Ｈｍの各々のプリチャージ期間ＴＰに、第１電圧のプリチャージ信号ＰＲＣが全ての信号線１１４に供給される。この結果、映像信号ＶＤＴの書き込みの対象となる画素行毎に、第１電圧のプリチャージ信号ＰＲＣが信号線１１４を介して画素ＰＸに供給される。
【００７８】
そして、データ線駆動回路２２０Ｂは、プリチャージ期間ＴＰにおいて、第１電圧をプリチャージ信号ＰＲＣとして各デマルチプレクサー１３０に出力してから所定時間経過後に、映像信号ＶＤＴの中心電圧以上で映像信号ＶＤＴの最高電圧以下の第２電圧をプリチャージ信号ＰＲＣとして各デマルチプレクサー１３０に出力する。すなわち、ｊ番目のフレームＦでは、水平走査期間Ｈ１〜Ｈｍの各々のプリチャージ期間ＴＰにおいて、第１電圧のプリチャージ信号ＰＲＣが全ての信号線１１４に供給されてから所定時間経過後に、第２電圧のプリチャージ信号ＰＲＣが全ての信号線１１４に供給される。この結果、信号線１１４は、第１電圧よりも正極性の映像信号ＶＤＴに近い第２電圧にプリチャージされる。
【００７９】
また、ｊ番目のフレームＦでは、データ線駆動回路２２０Ｂは、図７の動作タイミングと同様に、水平走査期間Ｈ１〜Ｈｍの各々の書き込み期間ＴＷに、正極性の映像信号ＶＤＴを、信号線１１４を介して画素ＰＸに供給する。液晶装置１Ｂでは、ｊ番目のフレームＦにおいて、補助プリチャージが実行されるため、補助プリチャージを実行しない場合に比べて、正極性の映像信号ＶＤＴの画素ＰＸに対する書き込み不足を低減することができる。
【００８０】
なお、負極性プリチャージおよび補助プリチャージのうちの負極性プリチャージのみが実行されるｊ＋２番目、ｊ＋１０番目およびｊ＋１８番目のフレームＦにおける液晶装置１Ｂの動作は、図７のｊ番目のフレームＦにおける液晶装置１Ａの動作と同様である。また、負極性プリチャージおよび補助プリチャージのうちの負極性プリチャージのみが実行されるｊ＋４番目、ｊ＋６番目、ｊ＋１２番目およびｊ＋１４番目のフレームＦにおける液晶装置１Ｂの動作は、図７のｊ＋４番目のフレームＦにおける液晶装置１Ａの動作と同様である。また、負極性プリチャージおよび補助プリチャージのいずれも実行されないｊ＋１番目、ｊ＋３番目、ｊ＋９番目、ｊ＋１１番目およびｊ＋１７番目のフレームＦにおける液晶装置１Ｂの動作は、図７のｊ＋１番目のフレームＦにおける液晶装置１Ａの動作と同様である。また、負極性プリチャージおよび補助プリチャージのいずれも実行されないｊ＋５番目、ｊ＋７番目、ｊ＋１３番目およびｊ＋１５番目のフレームＦにおける液晶装置１Ｂの動作は、図７のｊ＋５番目のフレームＦにおける液晶装置１Ａの動作と同様である。
【００８１】
図９に示す例では、負極性プリチャージおよび補助プリチャージが実行されるフレームＦのプリチャージ期間ＴＰは、負極性プリチャージおよび補助プリチャージのうちの負極性プリチャージのみが実行されるフレームＦのプリチャージ期間ＴＰより長い。したがって、負極性プリチャージおよび補助プリチャージが実行されるフレームＦのフレーム期間ＴＦｐｐｗは、負極性プリチャージおよび補助プリチャージのうちの負極性プリチャージのみが実行されるフレームＦのフレーム期間ＴＦｐｗより長い。
【００８２】
負極性プリチャージおよび補助プリチャージのいずれも実行されないフレームＦのフレーム期間ＴＦｗは、フレーム期間ＴＦｐｐｗおよびフレーム期間ＴＦｐｗより短い。
【００８３】
なお、書き込み期間ＴＷは、第１実施形態および第２実施形態と同様に、全てのフレームＦで同じ長さである。このため、第１実施形態および第２実施形態と同様に、液晶装置１Ｂにおいても、全てのフレームＦで負極性プリチャージが実行される場合に比べて、書き込み期間ＴＷを長くできる。
【００８４】
以上、第３実施形態においても、第１実施形態および第２実施形態と同様の効果を得ることができる。例えば、液晶装置１Ｂは、表示画像の画質を向上させるためにフレームレートを高くする場合においても、プリチャージの効果を得つつ、書き込み時間を確保できる。また、液晶装置１Ｂでは、プリチャージ部として機能するデータ線駆動回路２２０Ｂは、正極性期間の最初のフレームに対して、負極性プリチャージの実行後に補助プリチャージを実行する。補助プリチャージにより、映像信号ＶＤＴの中心電圧以上で映像信号ＶＤＴの最高電圧以下の電圧に信号線１１４がプリチャージされるため、補助プリチャージを実行しない場合に比べて、正極性の映像信号ＶＤＴの画素ＰＸに対する書き込み不足を低減することができる。
【００８５】
また、例えば、データ線駆動回路２２０Ｂは、３個以上のフレームＦを含む所定期間では、最初のフレームＦおよび３番目のフレームＦに対して負極性プリチャージを実行し、２番目のフレームＦに対してプリチャージを実行しない。さらに、データ線駆動回路２２０Ｂは、正極性期間において、最初のフレームＦに対して負極性プリチャージの実行後に補助プリチャージを実行し、３番目のフレームＦに対して補助プリチャージを実行しない。正極性期間における３番目のフレームＦに対して補助プリチャージを実行しない場合、正極性期間における３番目のフレームＦに対して負極性プリチャージおよび補助プリチャージの両方を実行する場合に比べて、正極性期間における３番目のフレームＦのプリチャージ期間ＴＰを短くすることができる。正極性期間における３番目のフレームＦのプリチャージ期間ＴＰを短くすることにより、書き込み期間ＴＷを長くすることができる。すなわち、例えば、液晶装置１Ｂは、表示画像の画質を向上させるためにフレームレートを高くし、かつ、補助プリチャージを実行する場合においても、書き込み時間を確保できる。
【００８６】
＜変形例＞
第１実施形態から第３実施形態の各形態は多様に変形され得る。具体的な変形の態様を以下に例示する。以下の例示から任意に選択される２以上の態様は、相互に矛盾しない範囲で適宜に併合され得る。
【００８７】
＜変形例１＞
第１実施形態および第２実施形態の各形態において、データ線駆動回路２２０は、例えば、図４のｊ番目のフレームＦ等の正極性期間における最初のフレームＦに対して、負極性プリチャージの実行後に補助プリチャージを実行してもよい。この場合においても、第１実施形態から第３実施形態までの各形態と同様な効果を得ることができる。
【００８８】
＜変形例２＞
第２実施形態において、データ線駆動回路２２０は、所定期間に含まれる複数のフレームＦのうちの最初のフレームＦのみに、プリチャージを実行してもよい。この場合、データ線駆動回路２２０は、例えば、図７のｊ＋２番目およびｊ＋６番目のフレームＦに対して、プリチャージを実行しない。変形例２においても、第２実施形態と同様な効果を得ることができる。
【００８９】
＜変形例３＞
第３実施形態において、データ線駆動回路２２０Ｂは、負極性プリチャージを、所定期間に含まれる複数のフレームＦのうちの最初のフレームＦのみに実行してもよい。この場合、例えば、データ線駆動回路２２０Ｂは、所定期間に含まれる複数のフレームＦのうちの最初のフレームＦのみに負極性プリチャージを実行し、さらに、正極性期間に含まれる複数のフレームＦのうちの最初のフレームＦのみに負極性プリチャージの実行後に補助プリチャージを実行する。変形例３においても、第３実施形態と同様な効果を得ることができる。
【００９０】
＜変形例４＞
第１実施形態から第３実施形態までの各形態において、所定期間に含まれる複数のフレームＦに対する負極性プリチャージは、１フレームＦおき以外の間隔で実行されてもよい。変形例４においても、第１実施形態から第３実施形態までの各形態と同様な効果を得ることができる。
【００９１】
＜変形例５＞
第１実施形態から第３実施形態までの各形態において、電気光学パネル１００は、反射型の電気光学装置でもよい。また、電気光学パネル１００は、反射型とする場合、信号線１１４等が形成される素子基板に半導体基板を用いるＬＣＯＳ（Liquid Crystal on Silicon）型としてもよい。
【００９２】
＜応用例＞
この発明は、各種の電子機器に利用され得る。図１０から図１２は、この発明の適用対象となる電子機器の具体的な形態を例示するものである。
【００９３】
図１０は、電子機器の一例であるパーソナルコンピューター２０００を示す斜視図である。パーソナルコンピューター２０００は、各種の画像を表示する液晶装置１と、電源スイッチ２００１やキーボード２００２が設置される本体部２０１０とを有する。なお、パーソナルコンピューター２０００は、液晶装置１の代わりに、液晶装置１Ａまたは液晶装置１Ｂを有してもよい。
【００９４】
図１１は、電子機器の一例であるスマートフォン３０００を示す正面図である。スマートフォン３０００は、操作ボタン３００１と、各種の画像を表示する液晶装置１とを有する。操作ボタン３００１の操作に応じて液晶装置１に表示される画面内容が変更される。なお、スマートフォン３０００は、液晶装置１の代わりに、液晶装置１Ａまたは液晶装置１Ｂを有してもよい。
【００９５】
図１２は、電子機器の一例である投射型表示装置４０００を示す模式図である。投射型表示装置４０００は、例えば、３板式のプロジェクターである。図１２に示す液晶装置１ｒは、赤色の表示色に対応する液晶装置１であり、液晶装置１ｇは、緑の表示色に対応する液晶装置１であり、液晶装置１ｂは、青色の表示色に対応する液晶装置１である。
【００９６】
すなわち、投射型表示装置４０００は、赤、緑および青の表示色に各々対応する３個の液晶装置１ｒ、１ｇ、１ｂを有する。照明光学系４００１は、光源である照明装置４００２からの出射光のうち赤色成分ｒを液晶装置１ｒに供給し、緑色成分ｇを液晶装置１ｇに供給し、青色成分ｂを液晶装置１ｂに供給する。各液晶装置１ｒ、１ｇ、１ｂは、照明光学系４００１から供給される各単色光を表示画像に応じて変調するライトバルブ等の光変調器として機能する。投射光学系４００３は、各液晶装置１ｒ、１ｇ、１ｂからの出射光を合成して投射面４００４に投射する。なお、投射型表示装置４０００は、液晶装置１の代わりに、液晶装置１Ａまたは液晶装置１Ｂを有してもよい。
【００９７】
前述のパーソナルコンピューター２０００、スマートフォン３０００および投射型表示装置４０００の各々は、前述の液晶装置１、液晶装置１Ａまたは液晶装置１Ｂを有するため、表示画像の画質を向上できる。
【００９８】
なお、本発明が適用される電子機器としては、図１０、図１１および図１２に例示される機器のほか、ＰＤＡ（Personal Digital Assistants）、デジタルスチルカメラ、テレビ、ビデオカメラ、カーナビゲーション装置、車載用の表示器、電子手帳、電子ペーパー、電卓、ワードプロセッサー、ワークステーション、テレビ電話およびＰＯＳ（Point of sale）端末等が挙げられる。さらに、本発明が適用される電子機器としては、プリンター、スキャナー、複写機、ビデオプレーヤーまたはタッチパネルを備える機器等が挙げられる。
【００９９】
以上、本発明の液晶装置および電子機器は、前述の各実施形態に限定されない。また、本発明の各部の構成は、前述の実施形態の同様の機能を発揮する任意の構成に置換でき、また、任意の構成を付加できる。
【符号の説明】
【０１００】
１、１Ａ、１Ｂ、１ｂ、１ｇ、１ｒ…液晶装置、１００…電気光学パネル、１１０…画素部、１１２…走査線、１１４…信号線、１１６…データ線、１１８…液晶素子、１１８ａ…画素電極、１１８ｂ…コモン電極、１１８ｃ…液晶、１２０…走査線駆動回路、１３０…デマルチプレクサー、１３２…スイッチ、２００、２００Ａ、２００Ｂ…駆動用集積回路、２１０、２１０Ａ、２１０Ｂ…制御回路、２１２…反転周期設定部、２１４、２１４Ｂ…プリチャージ制御部、２１６…フレームレート設定部、２２０、２２０Ｂ…データ線駆動回路、３００…フレキシブル回路基板、２０００…パーソナルコンピューター、２００１…電源スイッチ、２００２…キーボード、２０１０…本体部、３０００…スマートフォン、３００１…操作ボタン、４０００…投射型表示装置、４００１…照明光学系、４００２…照明装置、４００３…投射光学系、４００４…投射面、Ｃｓｔ…保持容量、ＰＸ…画素、ＴＲｈ…画素トランジスター。
【図１】
2020016672.tif 000003
【図２】
2020016672.tif 000004
【図３】
2020016672.tif 000005
【図４】
2020016672.tif 000006
【図５】
2020016672.tif 000007
【図６】
2020016672.tif 000008
【図７】
2020016672.tif 000009
【図８】
2020016672.tif 000010
【図９】
2020016672.tif 000011
【図１０】
2020016672.tif 000012
【図１１】
2020016672.tif 000013
【図１２】
2020016672.tif 000014